(57)【要約】【課題】簡便に補聴器の設定をすることができる技術を提供することを目的とする。【解決手段】携帯電話１は、ユーザからの入力を受け付ける受付部１０と、聴力検査の検査音を出力する出力部４２（５２、５３）と、検査音の出力部４２（５２、５３）からの出力を制御する検査音出力制御部１００と、出力部４２（５２、５３）から出力された検査音に対する応答であって受付部１０を介して受け付けたユーザからの入力に基づいて聴力を測定する聴力測定部１１０と、聴力測定部１１０によって測定された測定結果に基づいて補聴器の設定値を生成する設定値生成部１２０と、設定値生成部１２０によって生成された設定値の補聴器への出力を制御する設定値出力制御部１３０とを備えることを特徴とする。【選択図】図２
2010200259.tif 000002
【特許請求の範囲】
【請求項１】
ユーザからの入力を受け付ける受付部と、
聴力検査の検査音を出力する出力部と、
前記検査音の前記出力部からの出力を制御する検査音出力制御部と、
前記出力部から出力された検査音に対する応答であって前記受付部を介して受け付けたユーザからの入力に基づいて聴力を測定する聴力測定部と、
前記聴力測定部によって測定された測定結果に基づいて補聴器の設定値を生成する設定値生成部と、
前記設定値生成部によって生成された前記設定値の補聴器への出力を制御する設定値出力制御部と
を備えることを特徴とする携帯端末。
【請求項２】
前記携帯端末は、無線送受信部または有線送受信部の少なくとも一方を更に備え、
前記設定値出力制御部は、
前記設定値の前記無線送受信部または前記有線送受信部からの出力を制御することを特徴とする請求項１に記載の携帯端末。
【請求項３】
前記携帯端末は、無線送受信部または有線送受信部の少なくとも一方と、
前記無線送受信部または前記有線送受信部による、補聴器の状況に係る情報の補聴器からの受信を制御する補聴器情報取得部と
を更に備えることを特徴とする請求項１に記載の携帯端末。
【請求項４】
前記携帯端末は、無線送受信部と、
補聴器を制御する情報の前記無線送受信部からの送信を制御するリモコン部と
を更に備えることを特徴とする請求項１に記載の携帯端末。
【請求項５】
ユーザからの入力を受け付ける受付部と、聴力検査の検査音を出力する出力部とを備える情報処理装置のコンピュータに、
前記検査音の前記出力部からの出力を制御する検査音出力制御ステップと、
前記出力部から出力された検査音に対する応答であって前記受付部を介して受け付けたユーザからの入力に基づいて聴力を測定する聴力測定ステップと、
前記聴力測定ステップによって測定された測定結果に基づいて補聴器の設定値を生成する設定値生成ステップと、
前記設定値生成ステップによって生成された前記設定値の補聴器への出力を制御する設定値出力制御ステップと
を実行させることを特徴とするプログラム。
【請求項６】
ユーザからの入力を受け付ける受付部と、
聴力検査の検査音を出力する出力部と、
前記検査音の前記出力部からの出力を制御する検査音出力制御部と、
前記出力部から出力された検査音に対する応答であって前記受付部を介して受け付けたユーザからの入力に基づいて聴力を測定する聴力測定部と、
前記聴力測定部によって測定された測定結果に基づいて補聴器の設定値を生成する設定値生成部と、
前記設定値生成部によって生成された前記設定値の補聴器への出力を制御する設定値出力制御部と
を備えることを特徴とする情報処理装置。
【発明の詳細な説明】
【技術分野】
【０００１】
本発明は、携帯端末、プログラムおよび情報処理装置に関する。
【背景技術】
【０００２】
遠隔地の検査センターに聴力検査の検査結果データを送信し、検査センターにて算出した聴力補償特性データを受信し、補聴器の聴力補償（設定）を行う技術が考案されている（例えば、特許文献１参照）。
【先行技術文献】
【特許文献】
【０００３】
【特許文献１】特開２００３−３１９４９７号公報
【発明の概要】
【発明が解決しようとする課題】
【０００４】
しかしながら、特許文献１に記載の技術においては、検査センターとの通信が必要であるため、手軽に補聴器の設定をすることができないという問題がある。本発明は、このような事情に鑑みてなされたものであり、簡便に補聴器の設定をすることができる技術を提供することを目的とする。
【課題を解決するための手段】
【０００５】
上記問題を解決するために、本発明の一態様による携帯端末は、ユーザからの入力を受け付ける受付部と、聴力検査の検査音を出力する出力部と、検査音の出力部からの出力を制御する検査音出力制御部と、出力部から出力された検査音に対する応答であって受付部を介して受け付けたユーザからの入力に基づいて聴力を測定する聴力測定部と、聴力測定部によって測定された測定結果に基づいて補聴器の設定値を生成する設定値生成部と、設定値生成部によって生成された設定値の補聴器への出力を制御する設定値出力制御部とを備えることを特徴とする。
【０００６】
上記携帯端末は、無線送受信部または有線送受信部の少なくとも一方を更に備え、設定値出力制御部は、設定値の無線送受信部または有線送受信部からの出力を制御するようにしてもよい。
【０００７】
上記携帯端末は、無線送受信部または有線送受信部の少なくとも一方と、無線送受信部または有線送受信部による、補聴器の状況に係る情報の補聴器からの受信を制御する補聴器情報取得部とを更に備えるようにしてもよい。
【０００８】
上記携帯端末は、無線送受信部と、補聴器を制御する情報の無線送受信部からの送信を制御するリモコン部とを更に備えるようにしてもよい。
【０００９】
上記問題を解決するために、本発明の他の態様によるプログラムは、ユーザからの入力を受け付ける受付部と、聴力検査の検査音を出力する出力部とを備える情報処理装置のコンピュータに、検査音の出力部からの出力を制御する検査音出力制御ステップと、出力部から出力された検査音に対する応答であって受付部を介して受け付けたユーザからの入力に基づいて聴力を測定する聴力測定ステップと、聴力測定ステップによって測定された測定結果に基づいて補聴器の設定値を生成する設定値生成ステップと、設定値生成ステップによって生成された設定値の補聴器への出力を制御する設定値出力制御ステップとを実行させることを特徴とする。
【００１０】
上記問題を解決するために、本発明の他の態様による情報処理装置は、ユーザからの入力を受け付ける受付部と、聴力検査の検査音を出力する出力部と、検査音の出力部からの出力を制御する検査音出力制御部と、出力部から出力された検査音に対する応答であって受付部を介して受け付けたユーザからの入力に基づいて聴力を測定する聴力測定部と、聴力測定部によって測定された測定結果に基づいて補聴器の設定値を生成する設定値生成部と、設定値生成部によって生成された設定値の補聴器への出力を制御する設定値出力制御部とを備えることを特徴とする。
【発明の効果】
【００１１】
本発明によれば、利用者は、簡便に補聴器の設定をすることができるようになる。即ち、例えば、利用者は、補聴器の販売店に出向く必要もなく、検査センターに装置を接続する必要もなく、手軽に補聴器の設定をすることができるようになる。また、事業者側にとっても、検査センターに、高価なオージオメータを配備する必要がなくなる。
【００１２】
更に、本発明によれば、専用の装置がなくても、補聴器の状況（例えば、補聴器の音量、電池残量等）を取得することができるようになる。また、専用のリモコンがなくても、補聴器を制御することができるようになる。
【図面の簡単な説明】
【００１３】
【図１】本発明の一態様による携帯電話１のブロック図である。
【図２】携帯電話１の聴力検査および補聴器設定に係る機能を説明する為の機能ブロック図である。
【図３】オージオグラムである。
【図４】携帯電話１の動作を示すフローチャートである。
【発明を実施するための形態】
【００１４】
図１は、本発明の一態様による携帯電話１のブロック図である。携帯電話１は、携帯端末の一例であって、携帯電話に備わる通常の機能（例えば、通話、通信）に加え、聴力検査および補聴器設定に係る機能を有する。携帯電話１は、図１に示すように、操作部１０（本発明の受付部に相当する）、表示部２０、通信部３０、アンテナ部３１、音声処理部４０、マイク４１、スピーカ４２（本発明の出力部に相当する）、音源５０  スピーカ５２（本発明の出力部に相当する）  音声出力端子５３（本発明の出力部に相当する）、ＣＰＵ６０、ＲＡＭ７０、ＲＯＭ８０および近距離無線通信部９０（本発明の無線送受信部に相当する）を備える。
【００１５】
操作部１０は、例えば、各種ボタンであって、ユーザから種々の入力を受け付ける。表示部２０は、例えば、液晶モニタであって、ユーザへ種々の情報を表示する。マイク４１は、送話口(非図示)からの音を音声信号（アナログ信号）に変換し、音声処理部４０に供給する。スピーカ４２は、音声処理部４０からの音声信号（聴力検査の検査音の信号も含む）を音に変換して受話口(非図示)から放音する。
【００１６】
音声処理部４０は、マイク４１からの音声信号を音声データ（デジタル）に変換し通信部３０に供給する。また、音声処理部４０は、通信部３０からの音声データを音声信号に変換し、スピーカ４２に供給する。
【００１７】
通信部３０は、アンテナ３１を介して受信する種々の受信信号を復調して音声処理部４０等へ供給するととともに、音声処理部４０等から取得する種々のデータを変調してアンテナ３１を介して送信する。近距離無線通信部９０は、近距離無線技術（例えば、RFID、Bluetooth（登録商標））により種々のデータを送受信する。
【００１８】
ＲＯＭ８０は、携帯電話１を制御するプログラム（例えば、聴力検査および補聴器設定に係る機能を有するプログラム（以下、「検査設定プログラム」という）、プログラム（例えば、検査設定プログラム）によって使用されるデータ（例えば、聴力検査の検査音の音源データ（以下、「検査用音源データ」という）などの種々の情報を記憶する。
【００１９】
ＲＡＭ７０は、携帯電話１を制御するプログラム（例えば、検査設定プログラム）、プログラム（例えば、検査設定プログラム）によって使用されるデータ、プログラム（例えば、検査設定プログラム）によって生成されるデータなどの種々の情報を記憶する。
【００２０】
ＣＰＵ６０は、携帯電話１を制御する。例えば、ＣＰＵ６０は、ＲＯＭ８０からプログラム（例えば、検査設定プログラム）をＲＡＭ７０に読み出し、読み出したプログラムを実行して携帯電話１を制御する。
【００２１】
音源５０は、着信時に着信音用の音源データを音声信号に変換し、スピーカ５２に供給するとともに、検査用音源データを音声信号に変換し、スピーカ４２、スピーカ５２または音声出力端子５３に供給する。音声出力端子５３は、音源５０からの検査音の信号などをイヤホン／ヘッドホンに供給する端子である。
【００２２】
図２は、携帯電話１の聴力検査および補聴器設定に係る機能を説明する為の機能ブロック図である。図３は、オージオグラムである。図２において、１００は検査音出力制御部、１１０は聴力測定部、１２０は設定値生成部、１３０は設定値出力制御部、１４０は補聴器制御部（本発明のリモコン部、補聴器情報取得部に相当する）を備える。検査音出力制御部１００、聴力測定部１１０、設定値生成部１２０、設定値出力制御部１３０および補聴器制御部１４０は、ＣＰＵ６０（図２において非図示）が検査設定プログラム（図２において非図示）を実行することによって実現される。
【００２３】
ＲＯＭ８０は、検査設定プログラムによって使用されるデータとして、検査用音源データ、補聴器を制御する情報（以下、「補聴器制御データ」という）、表示画面データ（非図示）などを記憶する。表示画面の一例は、聴力検査に係る画面である聴力検査画面、補聴器設定に係る画面である補聴器設定画面である。なお、ＲＯＭ８０が記憶する検査用音源データは、着信音用の音源データと異なる音源データであってもよいし、着信音用の音源データであってもよい。
【００２４】
なお、説明の便宜上、検査設定プログラムによって生成されるデータとして、聴力検査の検査結果（測定結果）を示す情報（オージオグラムにて示されるような情報。以下、「検査結果データ」という）、および、補聴器の設定値を示す情報（以下、「補聴器設定データ」という）をＲＡＭ７０に示している。
【００２５】
検査音出力制御部１００は、検査音のスピーカ４２、５２、イヤホン／ヘッドホンからの出力を制御する。即ち、検査音出力制御部１００は、ユーザから所定の操作があったときに、ＲＯＭ８０から検査用音源データを取得し、音源５０に供給することによって、スピーカ４２、５２、イヤホン／ヘッドホンから検査音が出力されるように制御する。上記所定の操作とは、聴力検査の開始操作としてユーザに周知させている操作（例えば、所定の画面表示中の特定ボタンの押下）である。なお、検査音出力制御部１００は、音声出力端子５３にイヤホン／ヘッドホンが接続されている場合に、イヤホン／ヘッドホン側に検査音が出力されるように制御し、接続されていない場合には、スピーカ４２またはスピーカ５２に検査音が出力されるように制御してもよい。
【００２６】
なお、聴力検査では、複数の周波数帯（例えば、１２５Ｈｚ帯、２５０Ｈｚ帯、５００Ｈｚ帯、１ｋＨｚ帯、２ｋＨｚ帯、４ｋＨｚ帯、８ｋＨｚ帯）の検査音を複数の出力レベルにて順次出力させる必要がある。携帯電話１が各周波数帯の各出力レベルの検査音を順次出力させる方法は種々の方法が考えられる。一例は、各周波数帯の各出力レベルの検査用音源データ（周波数帯別出力レベル別の複数の検査用音源データ）をＲＯＭ８０に記憶しておき、検査音出力制御部１００が順次取得して音源５０に供給するという方法である。他の例は、周波数帯毎にある出力レベル（周波数帯毎の出力レベルの異同は問わない）の検査用音源データ（周波数帯別の複数の検査用音源データ）をＲＯＭ８０に記憶しておき、音声増幅部（非図示）にて出力レベルを変化させるという方法である。また他の例は、ある周波数帯のある出力レベルの検査用音源データ（唯一の検査用音源データ）をＲＯＭ８０に記憶しておき、周波数変換部（非図示）および音声増幅部（非図示）にて周波数帯および出力レベルを変化させるという方法である。
【００２７】
聴力測定部１１０は、スピーカ４２、５２、イヤホン／ヘッドホンから出力された検査音に対する応答であって操作部１０を介して受け付けたユーザからの入力に基づいて聴力を測定する。即ち、聴力測定部１１０は、ある周波数帯の検査音をある出力レベルによって出力しているときに、ユーザから所定の操作があった場合に、ユーザは当該周波数帯の当該出力レベルの検査音を聞き取ることができたと判断する。上記所定の操作とは、検査音を聞き取れた場合の応答としてユーザに周知させている操作（例えば、所定の画面表示中の特定ボタンの押下）である。聴力測定部１１０は、周波数帯と出力レベルを変化させながら同様の判断を行うことによってユーザの聴力を測定する。聴力測定部１１０は、聴力測定の結果である検査結果データを生成しＲＡＭ７０に記憶する。
【００２８】
設定値生成部１２０は、聴力測定部１１０によって測定された測定結果に基づいて補聴器の設定値（当該補聴器において適切な量の増幅がなされるような設定値）を生成する。即ち、設定値生成部１２０は、ユーザから所定の操作があったときに、ＲＡＭ７０に記憶された検査結果データを参照し、補聴器設定データを生成する。上記所定の操作とは、設定値の生成操作としてユーザに周知させている操作（例えば、所定の画面表示中の特定ボタンの押下）である。設定値生成部１２０は、生成した補聴器設定データをＲＡＭ７０に記憶する。なお、設定値生成部１２０は、ユーザから所定の操作があったときに補聴器設定データを生成しているが、聴力測定部１１０による検査結果データのＲＡＭ７０への記憶が完了したときに補聴器設定データを生成するようにしてもよい。
【００２９】
設定値出力制御部１３０は、設定値生成部１２０によって生成された設定値の補聴器への出力を制御する。具体的には、設定値出力制御部１３０は、設定値の近距離無線通信部９０からの出力を制御する。即ち、設定値出力制御部１３０は、ユーザから所定の操作があったときに、ＲＡＭ７０から補聴器設定データを取得し、近距離無線通信部９０に供給することによって、近距離無線通信部９０から補聴器設定データが出力されるように制御する。上記所定の操作とは、設定値の送信操作としてユーザに周知させている操作（例えば、所定の画面表示中の特定ボタンの押下）である。なお、設定値出力制御部１３０は、ユーザから所定の操作があったときに補聴器設定データの補聴器への出力を制御しているが、設定値生成部１２０による補聴器設定データのＲＡＭ７０への記憶が完了したときに補聴器設定データの補聴器への出力を制御するようにしてもよい。
【００３０】
また、即ち、設定値出力制御部１３０は、ユーザから所定の操作があったときに、ＲＡＭ７０から補聴器設定データを取得し、表示部２０に供給することによって、表示部２０に設定値が表示されるように制御してもよい。なお、設定値出力制御部１３０は、ユーザから所定の操作があったときに補聴器設定データの表示部２０への出力を制御しているが、設定値生成部１２０による補聴器設定データのＲＡＭ７０への記憶が完了したときに補聴器設定データの表示部２０へ出力を制御するようにしてもよい。
【００３１】
また、設定値出力制御部１３０は、ユーザから所定の操作があったときに、ＲＡＭ７０から検査結果データを取得し、表示部２０に供給することによって、表示部２０に検査結果（例えば、図３に示すオージオグラム）が表示されるように制御してもよい。なお、設定値出力制御部１３０は、ユーザから所定の操作があったときに検査結果データの表示部２０への出力を制御しているが、聴力測定部１１０による検査結果データのＲＡＭ７０への記憶が完了したときに検査結果データの表示部２０への出力を制御するようにしてもよい。
【００３２】
補聴器制御部１４０は、補聴器制御データの近距離無線通信部９０からの送信を制御する。即ち、補聴器制御部１４０は、ユーザから所定の操作があったときに、ＲＯＭ８０から補聴器制御データを取得し、近距離無線通信部９０に供給することによって、近距離無線通信部９０から補聴器制御データが出力されるように制御する。上記所定の操作とは、補聴器制御データの送信操作としてユーザに周知させている操作（例えば、所定の画面表示中の特定ボタンの押下）であって、補聴器の制御内容に応じた操作であってもよい。なお、補聴器の制御内容としては、音量調整、プログラムメモリ切替などである。
【００３３】
また、補聴器制御部１４０は、補聴器の状況に係る情報（以下、「補聴器情報」という）の近距離無線通信部９０による受信を制御する。即ち、補聴器制御部１４０は、ユーザから所定の操作があったときに、近距離無線通信によって補聴器情報を送信するように補聴器を制御する補聴器制御データをＲＯＭ８０から取得して近距離無線通信部９０に供給することによって、その結果として補聴器が無線にて送信した補聴器情報を近距離無線通信部９０を介して受信できるように制御する。上記所定の操作とは、補聴器情報の受信操作としてユーザに周知させている操作（例えば、所定の画面表示中の特定ボタンの押下）であって、受信する補聴器情報に応じた操作であってもよい。なお、補聴器情報の一例は、機器ＩＤ（シリアルＮｏ）、補聴器の音量、選択プログラムメモリ、電池残量、プログラムバージョン情報、エラー情報などである。
【００３４】
また、補聴器制御部１４０は、補聴器から受信した補聴器情報の表示部２０への出力を制御する。即ち、補聴器制御部１４０は、補聴器情報を表示部２０に供給することによって、表示部２０に設定値が表示されるように制御する。なお、補聴器制御部１４０は、補聴器から取得した補聴器情報をＲＡＭ７０に記憶してもよい。
【００３５】
図４は、携帯電話１の動作を示すフローチャートである。具体的には、図４（ａ）は聴力検査から検査結果の表示までの動作を示すフローチャート、図４（ｂ）は補聴器の設定の動作を示すフローチャートである。なお、図４（ａ）に示すフローチャートは、表示部２０に聴力検査画面が表示されているときに、聴力検査の開始操作を操作受付部１０が受け付けることにより開始する。また、図４（ｂ）に示すフローチャートは、表示部２０に補聴器設定画面が表示されているときに、設定値の生成操作を操作受付部１０が受け付けることにより開始する。なお、聴力検査画面は、例えば、検査設定プログラムの起動により表示される。また、補聴器設定画面は、例えば、ユーザの操作または検査結果データの生成完了により表示される。
【００３６】
図４（ａ）において、検査音出力制御部１００は、スピーカ４２、５２、イヤホン／ヘッドホンの何れかから検査音を出力する（ステップＳ１０）。即ち、検査音出力制御部１００は、ＲＯＭ８０から検査用音源データを取得し、音源５０に供給することによって、スピーカ４２、５２、イヤホン／ヘッドホンの何れかから検査音が出力されるように制御する。
【００３７】
聴力測定部１１０は、当該検査音のユーザの聞き取り結果を確認する（ステップＳ２０）。即ち、聴力測定部１１０は、ユーザから所定の時間内に所定の操作があった場合には当該検査音が聞き取られたと判断し、ユーザから所定の時間内に所定の操作がなかった場合には当該検査音が聞き取られなかったと判断する。聴力測定部１１０は、当該検査音の聞き取り結果（例えば、聞き取られた場合１、聞き取られなかった場合０）をＲＡＭ７０に記憶する。
【００３８】
検査音出力制御部１００は、全部の検査音を出力したか否かを判断する（ステップＳ１４）、検査音出力制御部１００が全部の検査音を出力していないと判断した場合（ステップＳ１４：Ｎｏ）、全部の検査音を出力する迄（ステップＳ１４：Ｙｅｓ）、検査音を順次変更しながらステップＳ１０、ステップＳ１２を繰り返す。
【００３９】
一方、検査音出力制御部１００が全部の検査音を出力したと判断した場合（ステップＳ１４：Ｙｅｓ）、換言すれば、ＲＡＭ７０に全部の検査音の聞き取り結果が記憶されている場合、聴力測定部１１０は、ＲＡＭ７０に記憶されている全部の検査音の聞き取り結果に基づいて検査結果データを生成する（ステップＳ１６）。聴力測定部１１０は、生成した検査結果データをＲＡＭ７０に記憶する。
【００４０】
ステップＳ１６に続いて、設定値出力制御部１３０は、検査結果データを表示部２０に出力する（ステップＳ１８）。即ち、設定値出力制御部１３０は、ＲＡＭ７０から検査結果データを取得し、表示部２０に供給することによって、表示部２０に検査結果が表示されるように制御する。そして、図４（ａ）に示すフローチャートは終了する。
【００４１】
図４（ｂ）において、設定値生成部１２０は、補聴器設定データを生成する（ステップＳ２０）。即ち、設定値生成部１２０は、ＲＡＭ７０に記憶された検査結果データを参照し、補聴器設定データを生成する。続いて、設定値出力制御部１３０は、近距離無線通信部９０から補聴器設定データを出力する（ステップＳ２２）。即ち、設定値出力制御部１３０は、ＲＡＭ７０から補聴器設定データを取得し、近距離無線通信部９０に供給することによって、近距離無線通信部９０から補聴器設定データが出力されるように制御する。そして、図４（ｂ）に示すフローチャートは終了する。なお、図４（ｂ）に示すフローチャートの例においては、生成された補聴器設定データは自動的に補聴器に出力されるが、設定値の送信操作を操作受付部１０が受け付けた後に補聴器に出力されるようにしてもよい。
【００４２】
以上、本実施形態に係る携帯電話１によれば、利用者は、補聴器の販売店に出向く必要もなく、検査センターに装置を接続する必要もなく、携帯電話１のみを用いて手軽に補聴器の設定をすることができるようになる。また、事業者側にとっても、検査センターに、高価なオージオメータを配備する必要がなくなる。また、専用のリモコンがなくても、補聴器を制御することができるようになる。また、専用の装置がなくても、補聴器の状況（例えば、補聴器の音量、電池残量等）を取得することができるようになる。
【００４３】
なお、本実施形態においては、各周波数の検査音を繰り返し出力し、検査結果（オージオグラム）を生成しているが、語音明瞭度検査を行う場合には、各音圧レベルで６７Ｓ語表／５７Ｓ語表のデータを発音させて明瞭度（％）を測定してもよい。
【００４４】
また、検査音出力制御部１００は、スピーカ４２、５２、音声出力端子５３（イヤホン／ヘッドホン）から検査音が出力されるように制御するが、デバイス毎に異なる制御（例えば、音声増幅部（非図示）によってデバイス毎に出力レベルが変わるように制御してもよい。これにより、検査音を出力するデバイスの種類に応じた適切な聴力検査を実施することができるようになる。つまり、検査音が何れのデバイスから出力される場合であっても、適切な聴力検査を実施することができるようになる。
【００４５】
また、携帯電話１は、有線送受信部（非図示）を更に備えてもよい。携帯電話１が有線送受信部を備える場合、設定値出力制御部１３０は、近距離無線通信部９０から補聴器設定データが出力されるように制御することに代えてまたは加えて、有線送受信部から補聴器設定データが出力されるように制御してもよい。同様に、補聴器制御部１４０は、近距離無線通信部９０から補聴器制御データが出力されるように制御することに代えてまたは加えて、有線送受信部から補聴器制御データが出力されるように制御してもよい。また、補聴器制御部１４０は、近距離無線通信８０を介して補聴器情報を取得できるように制御することに代えてまたは加えて、有線送受信部を介して補聴器情報を取得できるように制御してもよい。
【００４６】
なお、本実施形態に係る携帯電話１は、移動体通信に用いられる移動局の一例であって、本実施形態に係る携帯電話は、何れの無線通信方式（例えば、ＰＨＳ、ＰＤＣ、ＧＭＳ、ＣＤＭＡ）を採用した移動局であってもよい。
【００４７】
なお、携帯電話１に係る処理（例えば、検査音出力制御部１００、聴力測定部１１０、設定値生成部１２０、設定値出力制御部１３０および補聴器制御部１４０）を実行するためのプログラム（検査設定プログラム）をコンピュータ読み取り可能な記録媒体に記録して、当該記録媒体に記録されたプログラムをコンピュータシステムに読み込ませ、実行することにより、携帯電話１に係る処理を行ってもよい。なお、ここでいう「コンピュータシステム」とは、ＯＳや周辺機器等のハードウェアを含むものであってもよい。
【００４８】
即ち、本実施形態においては、携帯電話１について説明したが、上述の聴力検査および補聴器設定に係る機能を有する情報処理装置は携帯電話に限定されない。例えば、パーソナルコンピュータ、ＰＤＡ（Personal Digital Assistant）、音楽再生機器、音声録音機器、ゲーム機などであってもよい。
【００４９】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５１】
なお、上述の聴力検査および補聴器設定に係る機能を有する情報処理装置は、ネットワークを介して他の装置から命令を受信し動作してもよい。例えば、パーソナルコンピュータ（検査設定プログラムをインストールしているパーソナルコンピュータ）は、他の装置から命令を受信し動作するための遠隔操作受付部（エージェントとも称する。非図示）を備え、他の装置（例えば、聴力検査および補聴器設定に係る専門家の使用する端末）からの遠隔操作によって、検査設定プログラムの実行、および、ＲＡＭ７０に記憶された各種データの解析／修正などをしてもよい。例えば、キー操作を伝送するTelnetによって遠隔操作を実現するようにしてもよい（遠隔操作受付部はTelnetクライアント）。また、キー操作を伝送するのでなく、検査設定プログラムの実行、各種データに対する各種操作に対応する個々の命令を伝送して、遠隔操作を実現するようにしてもよい。
【００５２】
以上、この発明の実施形態について図面を参照して詳述してきたが、具体的な構成はこの実施形態に限られるものではなく、この発明の要旨を逸脱しない範囲の設計等も含まれる。
【符号の説明】
【００５３】
１  携帯電話（情報処理装置）  １０  操作部（受付部）  ２０  表示部  ３０  通信部  ３１  アンテナ部  ４０  音声処理部  ４１  マイク  ４２  スピーカ（出力部）  ５０  音源  ５２  スピーカ（出力部）  ５３  音声出力端子（出力部）  ６０  ＣＰＵ  ７０  ＲＡＭ  ８０  ＲＯＭ  ９０  近距離無線通信部（無線送受信部）  １００  検査音出力制御部  １１０  聴力測定部  １２０  設定値生成部  １３０  設定値出力制御部  １４０  補聴器制御部（リモコン部、補聴器情報取得部）
【図１】
2010200259.tif 000003
【図２】
2010200259.tif 000004
【図３】
2010200259.tif 000005
【図４】
2010200259.tif 000006